(57)【要約】      （修正有）【課題】Ｏ脚の矯正効果が十分で、使用中断、使用再開が容易なＯ脚矯正タイツを提供する。【解決手段】Ｏ脚矯正タイツ４の本体は伸縮性と緊締力を有し、レッグ部６の内側部分にはスライドファスナー８のエレメント５が取り付けられている。スライドファスナー８はランナー１０を上向きに移動させると開く構造で、エレメント５は内側中央線よりも前側（膝頭側）に配されている。スライドファスナー８を開いた状態にて通常のタイツと同様に装着し、ランナー１０を操作してスライドファスナー８を閉じるとＯ脚矯正効果が得られる。スライドファスナー８を開ければ、Ｏ脚矯正タイツ４を着用したままでも日常動作程度は十分可能となる。【選択図】図５
0003150863.tif 000002
【実用新案登録請求の範囲】
【請求項１】
伸縮性と緊締力を有する素材からなるタイツ本体と、
対をなすエレメント各々が前記タイツ本体の一対のレッグ部の内側部分に取り付けられ、ランナー（１０）を下向きに移動させると前記一対のレッグ部間を閉じランナー（１０）を上向きに移動させると前記一対のレッグ部間を開くスライドファスナーであり、大腿部においては前記エレメントが前記レッグ部の内側中央線よりも前側に配されているスライドファスナーと
を備えたことを特徴とするＯ脚矯正タイツ。
【請求項２】
膝部分では前記エレメントが膝関節の内側顆と膝頭の間を通って配されている
ことを特徴とする請求項１記載のＯ脚矯正タイツ。
【請求項３】
前記エレメントは、前記レッグ部の上端部から下端部にわたって配されていることを特徴とする請求項１又は２記載のＯ脚矯正タイツ。
【考案の詳細な説明】
【技術分野】
【０００１】
本考案は、Ｏ脚の矯正を目的として着用されるＯ脚矯正タイツに関する。
【背景技術】
【０００２】
Ｏ脚の矯正を目的とした技術が各種提案されてきた。例えば特開２０００−３４２６１２号公報（特許文献１）には、両脚をベルトで巻き、これを締め付けることにより、両脚を正中線に向かって押圧しＯ脚の矯正を図る技術が開示されている。また実開平３−９６８１２号公報（特許文献２）や実用新案登録第３１１３４０５号公報（特許文献３）には、正中線で接合したＯ脚矯正具にて両脚部を拘束することでＯ脚の矯正を図る技術が開示されている。
【先行技術文献】
【特許文献】
【０００３】
【特許文献１】特開２０００−３４２６１２号公報
【特許文献２】実開平３−９６８１２号公報
【特許文献３】実用新案登録第３１１３４０５号公報
【考案の概要】
【考案が解決しようとする課題】
【０００４】
Ｏ脚は、股関節が外転、外旋し、膝は内反膝の状態であり、膝（１）は図１のように正中線から外側に移動、膝頭（２）は大腿軸（３）を中心として外方に移動している。Ｏ脚に関係する主な関節は、股関節、膝関節、足関節であり、特に膝関節、股関節が大半の役割を担っている。
【０００５】
Ｏ脚の矯正は前記関節可動を利用して行われるため、膝関節だけではなく、股関節も考慮しなければならない。この上で、図３のように膝（１）を正中線に引き寄せなければならない。さらに、膝頭（２）は大腿軸（３）を中心として外方に移動しているため、膝部（２）には図３のように内向きの回転力を加えなければならない。
【０００６】
しかるに、特許文献２、３の技術は膝部を正中線に牽引するのみで、膝に内向きの回転力を加えることができないため、膝（１）は図２のように正中線に寄せられるが、膝頭は外方にありＯ脚の矯正効果としては十分とはいえなかった。また、特許文献１、２の技術は、股関節部の固定がないため、膝に加える力が股関節部に逃げてしまい、Ｏ脚の矯正効果としては十分とはいえなかった。
【０００７】
一方、Ｏ脚の矯正は、Ｏ脚矯正用具を長時間、長期間に亘って使用することになり、Ｏ脚矯正用具を使用中に中断を強いられる可能性があり、Ｏ脚矯正用具の使用中断、使用再開を容易にする必要があった。
【０００８】
しかしながら、面ファスナーを利用した特許文献１〜３のＯ脚矯正用具は、使用中断時の取り外しは容易であるが、使用再開は面ファスナーによる締め付け調整が必要になり手間が掛かるという問題がある。
【課題を解決するための手段】
【０００９】
請求項１記載のＯ脚矯正タイツは、
伸縮性と緊締力を有する素材からなるタイツ本体と、
対をなすエレメント各々が前記タイツ本体の一対のレッグ部の内側部分に取り付けられ、ランナーを下向きに移動させると前記一対のレッグ部間を閉じランナーを上向きに移動させると前記一対のレッグ部間を開くスライドファスナーであり、大腿部においては前記エレメントが前記レッグ部の内側中央線よりも前側に配されているスライドファスナーとを備えたことを特徴とする。なお、レッグ部の内側中央線とは、レッグ部を内側から外側に向かって投影した状態のレッグ部の側面図（図６、図８参照）において、各位置での水平（前後）方向の横断線の中点を上下方向に沿って連ねた線に相当する。
【００１０】
請求項１記載のＯ脚矯正タイツ（４）を着用するには、まずスライドファスナーを開いて両レッグ部（６）を離れさせた状態にして、通常のタイツと同様に装着する。すると、伸縮性と緊締力を有する素材からなるタイツ本体により、股関節、膝関節が適度に保持される。次に、ランナーを操作してタイツの恥骨部側よりスライドファスナーを閉じると、図４に示すように膝（１）が正中線に牽引され、エレメント（５）をレッグ部（６）の内側中央線（７）よりも前側（膝頭側）に配したことにより膝（１）に内向きの回転を加えることができる。
【００１１】
更に、スライドファスナーにより足先側より開閉可能であるから、スライドファスナーを閉じることによりＯ脚矯正ができ、スライドファスナーを開ければ、日常動作程度は十分可能となり、長時間、長期間に亘って使用することの必要があるＯ脚矯正においては、矯正中の中断及び再開が容易となる。また、スライドファスナーを開ければ、通常のタイツと同じで脱ぎ着に問題がない。
【００１２】
タイツ本体は適度の伸縮性と緊締力を有するものであれば、ウエストから足先まで、ウエストから膝上までの間でＯ脚の程度に応じて、またスライドファスナーも股から足首、股から膝上までの間でＯ脚の程度に応じた長さでよい。
【００１３】
スライドファスナーのエレメントは、膝周囲に内向きの回転力を加えるために、その配置はレッグ部の内側中央線よりも前側（膝頭側）にするのが望ましい。また、エレメントは内側中央線より均等の距離に直線的にまたは、内側中央線に角度を付けた直線的にしてもよいし、また部分的に矯正力を強める部位は内側中央線からの距離を長くして波状に配してもよい。軽度のＯ脚の場合は、スライドファスナーのエレメントを下肢中央線上に取り付けてもよい。更に、スライドファスナーのエレメントの取り付け位置を中央線より後ろ側にすれば、Ｘ脚（外反膝）にも対応できる。左右でエレメントの取り付け位置を変えれば、非対称の変形、「右がＸ脚、左がＯ脚」、「右がＯ脚、左がＸ脚」にも対応できる。
【００１４】
エレメントは、請求項２記載のように、膝部分では前記エレメントが膝関節の内側顆と膝頭の間を通って配されている構成にするとよい。恥骨部から膝関節の内側顆に至るラインは、正確にではないがほぼ内側中央線に近似するので、膝関節の内側顆と膝頭の間を通る位置にエレメントを配置することで、請求項１による効果を発揮できる。
【００１５】
また、エレメント（すなわちスライドファスナー）は、請求項３記載のように、前記エレメントは、前記レッグ部の上端部から下端部にわたって配されている構成にするとよい。
【図面の簡単な説明】
【００１６】
【図１】Ｏ脚の説明図。
【図２】従来技術の説明図。
【図３】Ｏ脚矯正の原理の説明図。
【図４】本考案によるＯ脚矯正の説明図。
【図５】実施例１のＯ脚矯正タイツの正面図。
【図６】実施例１のＯ脚矯正タイツの右脚内側を外側に向かって投影した状態の説明図。
【図７】実施例２のＯ脚矯正タイツの正面図。
【図８】実施例２のＯ脚矯正タイツの右脚内側を外側に向かって投影した状態の説明図。
【考案を実施するための形態】
【００１７】
［実施例１］
図５に示すように、実施例１のＯ脚矯正タイツ（４）は、ウエストから膝下までの長さ（いわゆる７分）である。
【００１８】
このＯ脚矯正タイツ（４）の本体は伸縮性と緊締力を有する素材からなっている。そして、一対のレッグ部（６）の内側部分には、スライドファスナー（８）のエレメント（５）が取り付けられている。
【００１９】
スライドファスナー（８）はランナー（１０）を下向きに（足先側へ）移動させると一対のレッグ部（６）間を閉じ、ランナー（１０）を上向きに移動させると一対のレッグ部（６）間を開く。また、スライドファスナー（８）はレッグ部（６）の股下全長に亘って取り付けられており、各エレメント（５）は、図６に示す通り、恥骨部から発して膝関節の内側顆を通っている内側中央線（７）よりも前側（膝頭側）に配されている。
【００２０】
このＯ脚矯正タイツ（４）を着用するには、まずスライドファスナー（８）を開いて両レッグ部（６）を離れさせた状態にして、通常のタイツと同様に装着する。すると、伸縮性と緊締力を有する素材からなるタイツ本体により、股関節、膝関節が適度に保持される。次に、ランナー（１０）を操作してタイツの恥骨部側よりスライドファスナー（８）を閉じると、図４に示すように膝（１）が正中線に牽引され、エレメント（５）をレッグ部（６）の内側中央線（７）よりも前側（膝頭側）に配したことにより膝（１）に内向きの回転を加えることができる。これによりＯ脚矯正効果を発揮する。
【００２１】
スライドファスナー（８）により足先側より開閉可能であるから、上述したようにスライドファスナー（８）を閉じることによりＯ脚矯正ができる。一方、スライドファスナー（８）を開ければ、Ｏ脚矯正タイツ（４）を着用したままでも日常動作程度は十分可能となり、長時間、長期間に亘って使用することの必要があるＯ脚矯正においては、矯正中の中断及び再開が容易となる。また、スライドファスナー（８）を開ければ、通常のタイツと同じで脱ぎ着に問題がない。
［実施例２］
図７、８に示すように、実施例２のＯ脚矯正タイツ（４）は、ウエストから足首までの長さである点で実施例１と相違するが、その他は実施例１と同様である。詳細な説明は実施例１を引用して省略するが、実施例２のＯ脚矯正タイツ（４）も実施例１と同様の効果を奏する。
【符号の説明】
【００２２】
１・・・膝
２・・・膝頭
３・・大腿軸・
４・・・Ｏ脚矯正タイツ
５・・・エレメント
６・・・レッグ部
７・・・内側中央線
８・・・スライドファスナー
９・・・内側顆
１０・・・ランナー
【図１】
0003150863.tif 000003
【図２】
0003150863.tif 000004
【図３】
0003150863.tif 000005
【図４】
0003150863.tif 000006
【図５】
0003150863.tif 000007
【図６】
0003150863.tif 000008
【図７】
0003150863.tif 000009
【図８】
0003150863.tif 000010